【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
第１絶縁がいしと結合して、発火用円錐組立体を形成し、その一端に形成された尖端を有する正電極と、
前記発火用円錐組立体に付けられ、中に埋め込まれた負の容量性素子を有する第２絶縁がいしと、
前記第２絶縁がいし中に配置され、前記負の容量性素子から前記第２絶縁がいしにより隔離され、かつ前記正電極と連結された正の容量性素子であって、前記正の容量性素子と前記負の容量性素子とが、キャパシタを形成するような正の容量性素子と、
抵抗器の絶縁がいし中に配置され、抵抗器コネクタにより前記正の容量性素子に連結される抵抗器と、
前記抵抗器と連結され、前記第２絶縁がいしに付けられている電気コネクタと、
前記第２絶縁がいしと、前記発火用円錐組立体とに付けられ、前記負の容量性素子に連結されている外殻であって、前記外殻は、その上に形成された尖端を有する負電極を含み、前記正電極の尖端からは距離をあけているような外殻と
を有する内燃機関用の複合点火装置。
【請求項２】
前記第２絶縁がいしは、前記発火用円錐組立体に付けられ、前記負の容量性素子は、射出成形により前記第２絶縁がいしに埋め込まれている前記請求項１に記載の装置。
【請求項３】
前記第２絶縁がいしは、前記発火用円錐組立体に付けられ、
前記負の容量性素子は、挿入成形により前記第２絶縁がいしに埋め込まれている請求項１に記載の装置。
【請求項４】
前記第２絶縁がいしは、設計されたポリマーを有する請求項１に記載の装置。
【請求項５】
前記設計されたポリマーは、液晶ポリマーを含む請求項４に記載の装置。
【請求項６】
前記設計されたポリマーは、ポリエーテルエーテルケトンを含む請求項４に記載の装置。
【請求項７】
前記設計されたポリマーの誘電定数は、約５〜約１０の間である請求項４に記載の装置。
【請求項８】
前記第１絶縁がいしは、アルミナ材料を有する請求項１に記載の装置。
【請求項９】
前記アルミナ材料は、約８８％〜約９９％の純粋アルミニナを有する請求項７に記載の装置。
【請求項１０】
前記抵抗器コネクタは、バネ部材を有する請求項１に記載の装置。
【請求項１１】
前記正電極尖端と前記負電極尖端とは、焼結されたレニウムおよびタングステン材料を有する請求項１に記載の装置。
【請求項１２】
前記材料は、約５０％のレニウムと、約５０％のタングステンとから形成されている請求項１１に記載の装置。
【請求項１３】
前記材料は、約７５％のレニウムと、約２５％のタングステンとから形成されている請求項１１に記載の装置。
【請求項１４】
前記正電極は、さらにその外面上に導電性インク被膜を有し、前記被膜は、所定の厚さを有する請求項１に記載の装置。
【請求項１５】
前記導電性インクは、貴金属または貴金属合金を含む請求項１４に記載の装置。
【請求項１６】
前記キャパシタは、約３０〜約１００ｐｆの範囲の所定の電気容量を有する請求項１に記載の装置。
【請求項１７】
前記正の容量性素子は、締まりばめにより前記正電極に連結されている請求項１に記載の装置。
【請求項１８】
内燃機関の点火装置用の回路であって、
前記回路を断続的に活性化させるために稼動可能な電源と、
一端に尖端を有する正電極と、
接地に接続されており、一端に尖端を有する接地電極であり、前記接地電極の尖端は、所定のスパークギャップ分だけ、前記正電極の尖端から距離をあけているような接地電極と、
前記電源と前記正電極とに直列接続されている少なくとも１つの抵抗器と、
前記抵抗器と直列接続され、前記正電極と接地とに並列接続されている少なくとも１つのキャパシタと
を有する内燃機関の点火装置用の回路。
【請求項１９】
前記回路が活性化されている際、前記少なくとも１つの抵抗器は、無線周波数妨害（ＲＦＩ）を減じる請求項１８に記載の回路。
【請求項２０】
前記少なくとも１つのキャパシタは、前記回路が活性化されている際、前記スパークギャップへのピーク電流を大きくする請求項１８に記載の回路。
【請求項２１】
前記正電極尖端と前記負電極尖端とは、焼結されたレニウムおよびタングステン材料を有する請求項１８に記載の回路。
【請求項２２】
前記材料は、約５０％のレニウムと、約５０％のタングステンとから形成されている請求項２１に記載の回路。
【請求項２３】
前記材料は、約７５％のレニウムと、約２５％のタングステンとから形成されている請求項２１に記載の回路。
【請求項２４】
前記抵抗器は、約２Ｋオーム〜約２０Ｋオームの間の所定の抵抗を有する請求項１８に記載の回路。
【請求項２５】
前記キャパシタは、約３０〜約１００ｐｆの範囲の所定の電気容量を有する請求項１８に記載の回路。
【請求項２６】
内燃機関用の複合点火装置用を形成する方法であって、
発火円錐組立体を形成するために、上に尖端が形成された正電極を、第１絶縁がいしに結合する工程と、
第２絶縁がいしに負の容量性素子を埋め込み、前記第２絶縁がいしを前記発火用円錐組立体に付ける工程と、
前記第２絶縁がいし中で、正の容量性素子を前記正電極に連結させる工程であって、前記正の容量性素子は、前記負の容量性素子から、前記第２絶縁がいしにより隔離され、前記正の容量性素子および負の容量性素子がキャパシタを形成する工程と、
抵抗器を、抵抗器絶縁がいしに設ける工程と、
前記抵抗器を、抵抗器コネクタにより、前記正の容量性素子に連結する工程と、
電気コネクタを、前記抵抗器に連結する工程と、
前記電気コネクタを、前記第２絶縁がいしに付ける工程と、
前記第２絶縁がいしと前記発火用円錐組立体とに前記外殻をつける工程であって、前記外殻は、上に尖端が形成された負電極を有し、前記負電極の尖端は、前記正電極の尖端から距離をあけている工程と、
前記外殻を前記負の容量性素子に連結する工程と
を有する内燃機関用の複合点火装置を形成する方法。
【請求項２７】
前記電極の上部を前記絶縁がいし内に密閉する工程をさらに含む請求項２６に記載の方法。
【請求項２８】
前記正電極を前記第１絶縁がいしに結合する前記工程の前に、前記正電極を導電性インクで被覆する工程をさらに含む請求項２６に記載の方法。
【請求項２９】
前記導電性インクは、貴金属または貴金属合金を含む請求項２８に記載の方法。
【請求項３０】
前記第２絶縁がいしと前記発火用円錐組立体とに外殻をつける前記工程は、前記外殻を前記第２絶縁がいしと前記発火用円錐組立体とに対して縮ませる工程を含む請求項２６に記載の方法。
【請求項３１】
前記外殻を前記負の容量性素子に連結する前記工程は、前記外殻を前記負の容量性素子に対して縮ませる工程を含む前記請求項２６に記載の方法。
【請求項３２】
前記正電極と前記第１絶縁がいしとを結合する前記工程は、前記正電極と前記第１絶縁がいしとを、所定の時間の間、所定の温度で加熱する工程を含む請求項２６に記載の方法。
【請求項３３】
前記所定の温度は、約摂氏７５０℃〜約摂氏９００℃である請求項２７に記載の方法。
【請求項３４】
前記所定の時間は、約１０分〜約６０分である請求項２７に記載の方法。
【請求項３５】
第２絶縁がいしに負の容量性素子を埋め込み、前記第２絶縁がいしを前記発火用円錐組立体に付ける前記工程は、射出成形工程を含む請求項２６に記載の方法。
【請求項３６】
第２絶縁がいしに負の容量性素子を埋め込み、前記第２絶縁がいしを前記発火用円錐組立体に付ける前記工程は、挿入成形工程を含む請求項２６に記載の方法。
【請求項３７】
前記第２絶縁がいしは、設計されたポリマーを有する請求項２６に記載の方法。
【請求項３８】
前記設計されたポリマーは、液晶ポリマーを含む請求項３７に記載の方法。
【請求項３９】
前記設計されたポリマーは、ポリエーテルエーテルケトンを含む請求項３７に記載の方法。
【請求項４０】
前記設計されたポリマーの誘電定数は、約５〜約１０の間である請求項３７に記載の方法。
【請求項４１】
前記第１絶縁がいしは、アルミナ材料を有する請求項２６に記載の方法。
【請求項４２】
前記アルミナ材料は、約８８％〜約９９％の純粋アルミニナを有する請求項４１に記載の方法。
【請求項４３】
前記抵抗器コネクタは、バネ部材を有する請求項２６に記載の方法。
【請求項４４】
焼結材料を形成するためにレニウムおよびタングステンを焼結することにより、前記正電極尖端と前記負電極尖端とを形成する工程をさらに含む、請求項２６に記載の方法。
【請求項４５】
前記材料は、約５０％のレニウムと、約５０％のタングステンとから形成されている請求項４４に記載の方法。
【請求項４６】
前記材料は、約７５％のレニウムと、約２５％のタングステンとから形成されている請求項４４に記載の方法。
【請求項４７】
前記キャパシタは、約３０〜約１００ｐｆの範囲の所定の電気容量を有する請求項２６に記載の方法。
【請求項４８】
正の容量性素子を前記正電極に連結させる前記工程は、締まりばめをすることにより行われる請求項２６に記載の方法。
【手続補正２】
【補正対象書類名】明細書
【補正対象項目名】００４５
【補正方法】変更
【補正の内容】
【００４５】
当該業界では一般的な方法であるが、スパークプラグの複合絶縁がいし４は外殻１５中に入れられ、好ましくは積極的に整列させるために縮められ、燃焼ガスに対して密閉する。絶縁がいし４を作るオーバーモールド工程中で、陰極板２のフランジ３が露出されたままであるのが好ましい。キャパシタ２の陰極板の露出されたフランジ３は、当該業界では一般的な方法を用いて、外殻１５が絶縁がいし４上に側方および下方圧力で縮まされた際に、スパークプラグの導電性の外殻１５と物理的および電気的に接触する。エンジン点火回路の接地回路と電気的に接触している外殻１５とキャパシタの陰極板２とが機械的に接触することにより、確実に、陰極板２を点火システムの接地回路に電気的に接続させることができるので有用である。
【手続補正３】
【補正対象書類名】図面
【補正対象項目名】図１
【補正方法】変更
【補正の内容】
【図１】
2009537067.tif 000001
【手続補正４】
【補正対象書類名】図面
【補正対象項目名】図２Ａ
【補正方法】変更
【補正の内容】
【図２Ａ】
2009537067.tif 000002
【手続補正５】
【補正対象書類名】図面
【補正対象項目名】図２Ｂ
【補正方法】変更
【補正の内容】
【図２Ｂ】
2009537067.tif 000003
【手続補正６】
【補正対象書類名】図面
【補正対象項目名】図３
【補正方法】変更
【補正の内容】
【図３】
2009537067.tif 000004
【手続補正７】
【補正対象書類名】図面
【補正対象項目名】図４
【補正方法】変更
【補正の内容】
【図４】
2009537067.tif 000005
【手続補正８】
【補正対象書類名】図面
【補正対象項目名】図６
【補正方法】変更
【補正の内容】
【図６】
2009537067.tif 000006